(57)【要約】【課題】適応プリディストーション型マルチポート増幅器及びそれを備えた送信装置に関し、マルチポート増幅器を構成する各高出力増幅器の中の１つが故障した場合でも、各送信信号の間のアイソレーションを保ち、適応プリディストーション処理の発散を防ぎ、線形増幅を継続可能にする。【解決手段】送信信号とその増幅後の帰還信号とを比較して、その誤差が最小となるように増幅器の非線型歪の補償を行うプリディストーション処理部１００，３００から出力される各送信信号を、ハイブリッド分配器６により複数の高出力増幅器７１　，７２　，７３　，７４　に分配し、複数の高出力増幅器の出力信号をハイブリッド合成器８により合成して個々の各送信信号に分離するマルチポート増幅器２００の出力側に、切り換えスイッチ９とハイブリッド合成器１０，１１を備え、高出力増幅器の１つが故障しても、各送信信号の間のアイソレーションを保つ。【選択図】　　　図１
2004088531.tif 000002
【特許請求の範囲】
【請求項１】
増幅前の送信信号と該送信信号の増幅後の帰還信号とを比較して、その誤差が最小となる歪補償信号を生成し、該歪補償信号を送信信号に加えて増幅器の非線型歪の補償を行う複数のプリディストーション処理部と、
前記複数のプリディストーション処理部からそれぞれ出力される各送信信号を入力して複数の高出力増幅器に分配するハイブリッド分配器と、該ハイブリッド分配器の出力信号を増幅する複数の高出力増幅器と、該複数の高出力増幅器の出力信号を合成して前記個々の各送信信号に分離するハイブリッド合成器とを有するマルチポート増幅器と、
前記マルチポート増幅器の出力側に、前記複数の高出力増幅器の何れかが故障しても、前記個々の各送信信号のアイソレーションを保つアイソレーション保持手段とを備え、
該アイソレーション保持手段の出力信号を前記帰還信号としてプリディストーション処理部に帰還する構成を有することを特徴とする適応プリディストーション型マルチポート増幅器。
【請求項２】
前記アイソレーション保持手段は、複数のハイブリッド合成器と、該複数のハイブリッド合成器と前記マルチポート増幅器との接続構成を切り換える切り換えスイッチと、を備えたことを特徴とする請求項１に記載の適応プリディストーション型マルチポート増幅器。
【請求項３】
増幅前の送信信号と該送信信号の増幅後の帰還信号とを比較して、その誤差が最小となる歪補償信号を生成し、該歪補償信号を送信信号に加えて増幅器の非線型歪の補償を行う複数のプリディストーション処理部と、
前記複数のプリディストーション処理部からそれぞれ出力される各送信信号を入力して複数の高出力増幅器に分配するハイブリッド分配器と、該ハイブリッド分配器の出力信号を増幅する複数の高出力増幅器と、該複数の高出力増幅器の出力信号を合成して前記個々の各送信信号に分離するハイブリッド合成器とを有するマルチポート増幅器と、
前記マルチポート増幅器の出力側に、前記複数の高出力増幅器の何れかが故障しても、前記個々の各送信信号のアイソレーションを保つアイソレーション保持手段とを備え、
該アイソレーション保持手段の出力信号を前記帰還信号としてプリディストーション処理部に帰還する構成を有する適応プリディストーション型マルチポート増幅器を備えたことを特徴とする送信装置。
【請求項４】
前記アイソレーション保持手段は、複数のハイブリッド合成器と、該複数のハイブリッド合成器と前記マルチポート増幅器との接続構成を切り換える切り換えスイッチと、を備えたことを特徴とする請求項３に記載の送信装置。
【発明の詳細な説明】
【０００１】
【発明の属する技術分野】
本発明は、適応プリディストーション型マルチポート増幅器及びそれを備えた送信装置に関し、例えば、移動無線通信システム又は衛星通信システムの送信機等のように、大きな送信電力を出力することが要求される送信装置の増幅器において、該増幅器の非線型歪を適応的に補償し、かつ、複数の増幅器を用いて電力増幅容量を分散化すると共に動作の安定化を図ったものである。
【０００２】
【従来の技術】
図３は適応プリディストーション型マルチポート増幅器の構成を示す。適応プリディストーション型マルチポール増幅器は、プリディストーション処理部１００において、送信すべきベースバンド信号１に、補償信号生成部１９から出力される歪補償信号を加算器２により加算して歪補償し、直交変調部３により直交変調し、デジタルアナログ変換器（ＤＡＣ）４によりディジタル信号からアナログ信号に変換し、周波数変換部５により無線周波数（ＲＦ）の主信号ａとして、マルチポート増幅器２００の１つのポート（例えば第１番）Ｐ１　に入力する。
【０００３】
また、マルチポート増幅器２００の他の入力ポート（例えば第３番）Ｐ３　には、上記プリディストーション処理部１００と同じ構成の他系のプリディストーション処理部３００から出力される他系の送信信号の主信号ｃが入力される。マルチポート増幅器２００の第１番のポートＰ１　に入力された信号は、マルチポート増幅器２００の最終段の第４番の出力ポートＰ４４から出力され、また、マルチポート増幅器２００の第３番のポートＰ３　に入力された信号は、マルチポート増幅器２００の最終段の第２番の出力ポートＰ２４から出力される。
【０００４】
マルチポート増幅器２００から出力される各信号は、それぞれアンテナ１３から送信されると共に、各アンテナ１３とのマルチポート増幅器２００との間に設けられた各方向結合器１２により、一部が取出されてプリディストーション処理部１００，３００に戻され、プリディストーション処理部１００，３００において、周波数変換部１４、中間周波数（ＩＦ）増幅器１５、アナログデジタル変換器（ＡＤＣ）１６、直交復調部１７を経て、減算器１８に入力される。方向結合器１２から取り出された信号を帰還信号と言う。
【０００５】
減算器１８は、送信すべきベースバンド信号である参照信号と帰還信号とを比較し、その誤差成分（マルチポート増幅器２００の非線形歪成分）を出力する。補償信号生成部１９は、該誤差成分のレベルが最小となるように、適応的に歪補償信号出力の振幅と位相とを制御し、マルチポート増幅器２００の非線形歪の逆特性となる歪補償信号を生成し、加算器２に出力する。
【０００６】
加算器２は、再び補償信号生成部１９から出力される歪補償信号を、送信すべきベースバンド信号に加算する。適応プリディストーション型マルチポート増幅器は、このように帰還信号を基に歪補償信号を生成する一連の処理の繰り返しによって、高出力のマルチポート増幅器２００の非線形歪を適応的に補償し、線形増幅装置として歪の無い送信信号を出力する。
【０００７】
次にマルチポート増幅器２００について図４を参照して説明する。図４は４入力４出力のマルチポート増幅器の構成例を示す。同図に示すようにマルチポート増幅器は、９０°ハイブリッド分配器６と、高出力増幅器７と、９０°ハイブリッド合成器８とから成る。
【０００８】
前述したプリディストーション処理部１００から出力される主信号ａは、９０°ハイブリッド分配器６の第１番ポートＰ１　に入力され、該分配器６によって第２段の４つのポートＰ１２，Ｐ２２，Ｐ３２，Ｐ４２に分配され、高出力増幅器７によって増幅される。
【０００９】
高出力増幅器７で増幅された信号は、９０°ハイブリッド合成器８によって合成され、第１番ポートＰ１　の入力信号ａは、第４段の第４番ポートＰ４４から出力される。また、第３番ポートＰ３　の入力信号ｃは、第４段の第２番ポートＰ２４から出力される。この動作を以下に説明する。
【００１０】
分配器６の第１段の第１番ポートＰ１　と第３番ポートＰ３　に、それぞれ信号ａと信号ｃとが入力されると、マルチポート増幅器の各段の信号は次のようになる。ここで、第１段の第１番ポートＰ１　及びの第３番ポートの入力信号を、それぞれｓ（Ｐ１）　及びｓ（Ｐ３）　と表すこととする。
【００１１】
また、第１段の第１番〜第４番ポートの出力信号をそれぞれｓ（Ｐ１１），ｓ（Ｐ２１），ｓ（Ｐ３１），ｓ（Ｐ４１）　と表すこととする。また、第２段の第１番〜第４番ポートの出力信号（第３段の各ポートの入力信号）を、それぞれｓ（Ｐ１２），ｓ（Ｐ２２），ｓ（Ｐ３２），ｓ（Ｐ４２）　と表すこととする。
【００１２】
また、第３段の第１番〜第４番ポートの出力信号を、それぞれｓ（Ｐ１３），ｓ（Ｐ２３），ｓ（Ｐ３３），ｓ（Ｐ４３）　と表すこととする。また、第４段の第１番〜第４番ポートの出力信号を、それぞれｓ（Ｐ１４），ｓ（Ｐ２４），ｓ（Ｐ３４），ｓ（Ｐ４４）　と表すこととする。すると、各ポートの信号は以下の式のように表される。
【００１３】
ｓ（Ｐ１）＝ａ
ｓ（Ｐ３）＝ｃ
ｓ（Ｐ１１）＝（ａ／　√２）・ｊ（０）＝ａ１・ｊ（０）
ｓ（Ｐ２１）＝（ａ／　√２）・ｊ（−９０）＝ａ１・ｊ（−９０）
ｓ（Ｐ３１）＝（ｃ／　√２）・ｊ（０）＝ｃ１・ｊ（０）
ｓ（Ｐ４１）＝（ｃ／　√２）・ｊ（−９０）＝ｃ１・ｊ（−９０）
【００１４】
ここで、ｊ（０）は位相遅れが０であること、ｊ（−９０）は位相遅れが９０度であることを表している。以下においてｊ（−１８０）　，ｊ（−２７０）　は、同様に位相遅れがそれぞれ１８０度、２７０度であることを表している。また、それぞれ第２段以降のハイブリッド回路を通過する際に、各ポート間での信号の振幅変化は一定であるので、各式の記述を次のように簡素化する。
【００１５】
ｓ（Ｐ１２）＝ａ２・ｊ（０）　＋ｃ２　・ｊ（−９０）
ｓ（Ｐ２２）＝ａ２・ｊ（−９０）　＋ｃ２・ｊ（０）
ｓ（Ｐ３２）＝ａ２・ｊ（−９０）　＋ｃ２・ｊ（−１８０）
ｓ（Ｐ４２）＝ａ２・ｊ（−１８０）＋ｃ２　・ｊ（−９０）
【００１６】
ここで、各高出力増幅器７１　，７２　，７３　，７４　のゲインをＧとすると、以下のように表される。
ｓ（Ｐ１３）＝Ｇ４ａ３・　｛ｊ（０）＋ｊ（−１８０）｝＋２Ｇ・ｃ３　・ｊ（−９０）
ｓ（Ｐ２３）＝２Ｇ・ａ３　・ｊ（−９０）　＋Ｇ４ｃ３・　｛ｊ（０）＋ｊ（−１８０）｝
ｓ（Ｐ３３）＝Ｇ４ａ３・　｛ｊ（−９０）＋ｊ（−２７０）｝＋２Ｇ・ｃ３　・ｊ（−１８０）
ｓ（Ｐ４３）＝２Ｇ・ａ３　・ｊ（−１８０）＋Ｇ４ｃ３　・｛ｊ（−９０）＋ｊ（−２７０）｝
【００１７】
ｓ（Ｐ１４）＝０
ｓ（Ｐ２４）＝４Ｇ・ｃ４　・ｊ（−１８０）
ｓ（Ｐ３４）＝０
ｓ（Ｐ４４）＝４Ｇ・ａ４　・ｊ（−１８０）
【００１８】
即ち、ハイブリッド分配器６の第１番ポートＰ１　、第２番ポートＰ２　、第３番ポートＰ３　、第４番ポートＰ４　に、それぞれ信号ａ、信号ｂ、信号ｃ、信号ｄを入力すると、ハイブリッド合成器８の第４段の第１番出力ポートＰ１４、、第２番出力ポートＰ２４、第３番出力ポートＰ３４、第４番出力ポートＰ４４から、それぞれ増幅された信号Ｇ’・ｄ、信号Ｇ’・ｃ、信号Ｇ’・ｂ、信号Ｇ’・ａが出力される。ここで、Ｇ’はマルチポート増幅器全体による増幅率である。
【００１９】
適応プリディストーション型増幅器については、例えば下記の特許文献１等に、マルチポート増幅器については下記の特許文献２，３等に開示されている。
【特許文献１】
特開２００１−２６７８５０号公報
【特許文献２】
特表２００１−５０３９３７号公報
【特許文献３】
特公平２−４４４０９号公報
【００２０】
【発明が解決しようとする課題】
図４に示すような９０°ハイブリッド回路で構成されたマルチポート増幅器において、４つの高出力増幅器７１　，７２　，７３　，７４　のうちどれか１つが故障した場合、合成器８の最終段出力端でのアイソレーションが劣化してしまう。その結果、プリディストーション処理部１００，３００への帰還信号の中に自系以外の送信信号成分が混入されたものとなってしまう。
【００２１】
このような場合、補償信号生成部１９では、帰還信号と参照信号との誤差が最小になるように歪補償信号の振幅及び位相の特性を更新して、マルチポート増幅器２００の非線型歪の逆特性となる歪補償信号を生成しようとするが、帰還信号に他系の送信信号が混入していると、帰還信号はマルチポート増幅器２００の歪特性を表す信号ではないため、逆特性の歪補償信号を生成することができなくなり、最悪の場合は適応プリディストーション処理が発散してしまい、送信信号の歪が逆に増大し、隣接チャネルへ妨害電波を放射してしまうという問題を起こす。
【００２２】
本発明は、マルチポート増幅器２００を構成する各高出力増幅器７１　，７２　，７３　，７４　の中の１つが故障した場合でも、マルチポート増幅器２００の最終段から出力される各送信信号の間のアイソレーションが確保されるようにし、適応プリディストーション処理の発散を防ぎ、線形増幅を継続させることができる適応プリディストーション型マルチポート増幅器を提供することを目的とする。
【００２３】
【課題を解決するための手段】
本発明の適応プリディストーション型マルチポート増幅器は、（１）増幅前の送信信号と該送信信号の増幅後の帰還信号とを比較して、その誤差が最小となる歪補償信号を生成し、該歪補償信号を送信信号に加えて増幅器の非線型歪の補償を行う複数のプリディストーション処理部と、前記複数のプリディストーション処理部からそれぞれ出力される各送信信号を入力して複数の高出力増幅器に分配するハイブリッド分配器と、該ハイブリッド分配器の出力信号を増幅する複数の高出力増幅器と、該複数の高出力増幅器の出力信号を合成して前記個々の各送信信号に分離するハイブリッド合成器とを有するマルチポート増幅器と、前記マルチポート増幅器の出力側に、前記複数の高出力増幅器の何れかが故障しても、前記個々の各送信信号のアイソレーションを保つアイソレーション保持手段とを備え、該アイソレーション保持手段の出力信号を前記帰還信号としてプリディストーション処理部に帰還する構成を有するものである。
【００２４】
また、（２）前記アイソレーション保持手段は、複数のハイブリッド合成器と、該複数のハイブリッド合成器と前記マルチポート増幅器との接続構成を切り換える切り換えスイッチと、を備えたものである。
【００２５】
また、本発明の送信装置は、（３）増幅前の送信信号と該送信信号の増幅後の帰還信号とを比較して、その誤差が最小となる歪補償信号を生成し、該歪補償信号を送信信号に加えて増幅器の非線型歪の補償を行う複数のプリディストーション処理部と、前記複数のプリディストーション処理部からそれぞれ出力される各送信信号を入力して複数の高出力増幅器に分配するハイブリッド分配器と、該ハイブリッド分配器の出力信号を増幅する複数の高出力増幅器と、該複数の高出力増幅器の出力信号を合成して前記個々の各送信信号に分離するハイブリッド合成器とを有するマルチポート増幅器と、前記マルチポート増幅器の出力側に、前記複数の高出力増幅器の何れかが故障しても、前記個々の各送信信号のアイソレーションを保つアイソレーション保持手段とを備え、該アイソレーション保持手段の出力信号を前記帰還信号としてプリディストーション処理部に帰還する構成を有する適応プリディストーション型マルチポート増幅器を備えたものである。
【００２６】
また、（４）前記送信装置における前記アイソレーション保持手段は、複数のハイブリッド合成器と、該複数のハイブリッド合成器と前記マルチポート増幅器との接続構成を切り換える切り換えスイッチと、を備えたものである。
【００２７】
【発明の実施の形態】
図１及び図２は本発明の適応プリディストーション型マルチポート増幅器の構成を示す。図１及び図２に示す適応プリディストーション型マルチポート増幅器において、図３又は図４に示した各構成要素に相当するものには同一の符号を付し、重複した説明は省略する。
【００２８】
本発明による適応プリディストーション型マルチポート増幅器は、９０°ハイブリッド分配器６及び９０°ハイブリッド合成器８と、高出力増幅器７とにより構成されたマルチポート増幅器２００の出力端に、切り換えスイッチ９１　，９２　，９３　と、０°ハイブリッド合成器１０と、１８０°ハイブリッド合成器１１とから成るアイソレーション保持回路を追加したものである。
【００２９】
マルチポート増幅器２００の各高出力増幅器７１　，７２　，７３　，７４　が全て正常に動作している場合、及び高出力増幅器７１　又は７４　の何れかに故障が発生した場合は、各切り換えスイッチ９１　，９２　，９３　を、図１に示すような接続構成となるように切り換えることにより、各系の送信信号のアイソレーションを確保することができる。
【００３０】
また、高出力増幅器７２　又は７３　の何れかに故障が発生した場合は、該故障の発生を図示省略のセンサーによって感知し、各切り換えスイッチ９１　，９２　，９３　を、図２に示すような接続構成となるように切り換えることにより、各系の送信信号のアイソレーションを確保することができる。
【００３１】
このように、マルチポート増幅器２００の各高出力増幅器７１　，７２　，７３　，７４　の何れか１つに故障が発生しても、各切り換えスイッチ９１　，９２　，９３　によって、マルチポート増幅器２００の各出力端と、０°ハイブリッド合成器１０及び１８０°ハイブリッド合成器１１と、各アンテナ１３及び方向結合器１２との接続構成を切り換えることにより、故障していない高出力増幅器をそのまま継続して動作させ、該故障していない高出力増幅器の非線形歪に対する適応歪補償処理をプリディストーション処理部１００，３００で継続することができる。
【００３２】
本発明による適応プリディストーション型マルチポート増幅器の動作例について以下に説明する。プリディストーション処理部１００，３００からそれぞれ送信信号ａ，ｃがマルチポート増幅器２００の第１番及び第３番の入力ポートＰ１　，Ｐ３　に入力するものとする。
【００３３】
ここで、４つの高出力増幅器７１　，７２　，７３　，７４　が全て正常に動作している場合、前述したように最終段の第４番出力ポートＰ４４から４Ｇａ４・ｊ（−１８０）の信号が出力され、また、最終段の第２番出力ポートＰ２４から４Ｇｃ４・ｊ（−１８０）の信号が出力される。
【００３４】
上記マルチポート増幅器２００からの各出力信号は、図１に示すスイッチ切り換えスイッチ９１　，９２　により、０°ハイブリッド合成器１０と及び−１８０°ハイブリッド合成器１１を通過し、送信信号ａ＊　，ｃ＊　としてそれぞれ方向結合器１２により自系のプリディストーション処理部１００，３００に帰還される。
【００３５】
ここで、例として高出力増幅器７１　が故障した場合、合成器８の各出力ポートＰ１４，Ｐ２４，Ｐ３４，Ｐ４４からそれぞれ次の式によって表される信号ｓ（Ｐ１４），ｓ（Ｐ２４），ｓ（Ｐ３４），ｓ（Ｐ４４）　出力される。
ｓ（Ｐ１４）＝Ｇ４ａ４・ｊ（−１８０）＋Ｇ４ｃ４　・（−２７０）
ｓ（Ｐ２４）＝Ｇ４ａ４・ｊ（−２７０）＋３Ｇ・ｃ４　・（−１８０）
ｓ（Ｐ３４）＝Ｇ４ａ４・ｊ（−２７０）＋Ｇ４ｃ４　・（０）
ｓ（Ｐ４４）＝３Ｇ・ａ４　・ｊ（−１８０）＋Ｇ４ｃ４　・（−９０）
【００３６】
上記式から明らかなように、マルチポート増幅器２００の最終段の各出力ポートには、系の異なる２種類の送信信号ａ，ｃの成分が出力され、系間のアイソレーションが劣化することが判かる。
【００３７】
しかし、各切り換えスイッチ９１　，９２　を図１に示す接続状態とすることにより、０°ハイブリッド合成器１０には第１番と第４番の出力ポートＰ１４，Ｐ４４の信号ｓ（Ｐ１４），ｓ（Ｐ４４）　が入力され、０°ハイブリッド合成器１０から出力される信号ａ＊　は以下のようになり、他系の信号成分を含まないものとなる。
ａ＊　＝４Ｇ４ａ４・ｊ（−１８０）
【００３８】
また、−１８０°ハイブリッド合成器１１には第２番と第３番の出力ポートＰ２４，Ｐ３４の信号ｓ（Ｐ２４），ｓ（Ｐ３４）　が入力され、−１８０°ハイブリッド合成器１１から出力される信号ｃ＊　は以下のようになり、他系の信号成分を含まないものとなる。
ｃ＊　＝４Ｇ４ｃ４・ｊ（−１８０）
【００３９】
０°ハイブリッド合成器１０から出力される信号ａ＊　、及び−１８０°ハイブリッド合成器１１から出力される信号ｃ＊　は、それぞれ、図１に示す接続状態の切り換えスイッチ９３　により、方向結合器１２を介して自系のプリディストーション処理部１００，３００に帰還される。
【００４０】
次の動作例として、高出力増幅器７２　が故障した場合ついて説明する。マルチポート増幅器２００の合成器８の各最終段出力ポートＰ１４，Ｐ２４，Ｐ３４，Ｐ４４からそれぞれ次の式によって表される信号ｓ（Ｐ１４），ｓ（Ｐ２４），ｓ（Ｐ３４），ｓ（Ｐ４４）　出力される。
【００４１】
ｓ（Ｐ１４）＝Ｇ４ａ４・ｊ（０）　＋Ｇ４ｃ４・（−２７０）
ｓ（Ｐ２４）＝Ｇ４ａ４・ｊ（−９０）　＋３Ｇ・ｃ４　・（−１８０）
ｓ（Ｐ３４）＝Ｇ４ａ４・ｊ（−２７０）＋Ｇ４ｃ４　・（−１８０）
ｓ（Ｐ４４）＝３Ｇ・ａ４　・ｊ（−１８０）＋Ｇ４ｃ４　・（−２７０）
【００４２】
上記の式から、この動作例の場合でも同様に、マルチポート増幅器２００の最終段の各出力ポートには、系の異なる２種類の送信信号ａ，ｃの成分が出力され、系間のアイソレーションが劣化することが判かる。
【００４３】
しかし、各切り換えスイッチ９１　，９２　を図２に示す接続状態とすることにより、０°ハイブリッド合成器１０には第２番と第３番の出力ポートＰ２４，Ｐ３４の信号ｓ（Ｐ２４），ｓ（Ｐ３４）　が入力され、０°ハイブリッド合成器１０から出力される信号ｃ＊　は以下のようになり、他系の信号成分を含まないものとなる。
ｃ＊　＝４Ｇ４ｃ４・ｊ（−１８０）
【００４４】
また、−１８０°ハイブリッド合成器１１には第１番と第４番の出力ポートＰ１４，Ｐ４４の信号ｓ（Ｐ１４），ｓ（Ｐ４４）　が入力され、−１８０°ハイブリッド合成器１１から出力される信号ａ＊　は以下のようになり、他系の信号成分を含まないものとなる。
ａ＊　＝４Ｇ４ａ４・ｊ（−１８０）
【００４５】
０°ハイブリッド合成器１０から出力される信号ｃ＊　、及び−１８０°ハイブリッド合成器１１から出力される信号ａ＊　は、それぞれ、図２に示す接続状態の切り換えスイッチ９３　により、方向結合器１２を介して自系のプリディストーション処理部１００，３００に帰還される。
【００４６】
高出力増幅器７３　又は７４　に故障が発生した場合も前述した動作例と同様にアイソレーション作用が働き、他系の信号成分を含まない帰還信号が自系のプリディストーション処理部に帰還される。なお、高出力増幅器７３　に故障が発生した場合は、前述の高出力増幅器７２　が故障した場合の動作例と、高出力増幅器７４　に故障が発生した場合は、前述の高出力増幅器７１　が故障した場合の動作例と同様に動作する。
【００４７】
【発明の効果】
以上説明したように、本発明によれば、マルチポート増幅器を構成する複数の高出力増幅器の何れかに故障が発生しても、各送信信号間のアイソレーションを保つハイブリッド合成器を備えることにより、また、各高出力増幅器の故障位置に応じて、マルチポート増幅器の出力ポートとハイブリッド合成器との接続状態を切り換えて各送信信号間のアイソレーションを保つことにより、他系の信号成分を含まない帰還信号が自系のプリディストーション処理部に帰還され、適応プリディストーション処理を正常に動作させ、線形増幅を継続させることができ、隣接チャネルへの妨害電波の放射等を防ぐことができる。
【図面の簡単な説明】
【図１】
本発明の適応プリディストーション型マルチポート増幅器の構成例を示す図で
ある。
【図２】
本発明の適応プリディストーション型マルチポート増幅器の構成例を示す図で
ある。
【図３】適応プリディストーション型マルチポート増幅器の構成例を示す図である。
【図４】マルチポート増幅器の構成例を示す図である。
【符号の説明】
１　ベースバンド信号
２　加算器
３　直交変調部
４　デジタルアナログ変換器（ＤＡＣ）
５　周波数変換部
６　９０°ハイブリッド分配器
７　高出力増幅器
８　９０°ハイブリッド合成器
９　切り換えスイッチ
１０　０°ハイブリッド合成器
１１　１８０°ハイブリッド合成器
１２　方向結合器
１３　アンテナ
１４　周波数変換部
１５　中間周波数（ＩＦ）増幅器
１６　アナログデジタル変換器（ＡＤＣ）
１７　直交復調部
１８　減算器
１９　補償信号生成部
２０　局部発振器
１００　自系プリディストーション処理部
２００　マルチポート増幅器２００
３００　他系プリディストーション処理部
【図１】
2004088531.tif 000003
【図２】
2004088531.tif 000004
【図３】
2004088531.tif 000005
【図４】
2004088531.tif 000006